(57)【要約】      （修正有）【課題】単純な回路によるヒューズユニットを有し、修復時の作業手順がより簡単で好都合である回路基板を提供する。【解決手段】回路基板は、絶縁基板と、複数の回路トレース４２とを備え、回路トレース４２の少なくとも１つは、ヒューズユニット４２２を備える。ヒューズユニット４２２は、主ヒューズ４２３と、少なくとも１つの予備ヒューズ４２４とを備える。主ヒューズ４２３と予備ヒューズ４２４のヒューズ区間４２３ｂ、４２４ｂは、互いに離間され、かつ横並びに配設されている。予備ヒューズ４２４の２つのトレース接続端部分４２４ａの少なくとも一方は、回路トレース４２との電気切断を形成するために、回路トレース４２と接続されず、主ヒューズ区間４２３ｂが電気切断を形成した後に、２つのトレース接続端部分４２４ａは、回路トレース４２に接続され、よって、予備ヒューズ４２４及び回路トレース４２によって電流伝導経路が形成される。【選択図】図７
2018113438.tif 000002
【特許請求の範囲】
【請求項１】
回路基板であって、
絶縁基板と、
該絶縁基板に提供された複数の回路トレースであって、該回路トレースの少なくとも１つが、ヒューズユニットを備え、該ヒューズユニットが、主ヒューズ及び少なくとも１つの予備ヒューズを備え、前記主ヒューズが、該主ヒューズの両端部にそれぞれ位置決めされ、かつ前記回路トレースに接続された２つの主トレース接続端部分と、該２つの主トレース接続端部分の間に接続された主ヒューズ区間とを有し、前記予備ヒューズが、該予備ヒューズの両端部にそれぞれ位置決めされた２つのトレース接続端部分と、該２つのトレース接続端部分の間に接続されたヒューズ区間とを有し、該ヒューズ区間及び前記主ヒューズ区間が、互いに離間され、かつ横並びに配設され、前記２つのトレース接続端部分のうちの少なくとも一方が、前記回路トレースとの電気切断を形成するために、前記回路トレースと接続されず、前記主ヒューズ区間が電気切断を形成した後に、前記２つのトレース接続端部分が前記回路トレースに接続され、よって、前記予備ヒューズ及び前記回路トレースによって電流伝導経路が形成される、複数の回路トレースと、を備える、回路基板。
【請求項２】
前記予備ヒューズの前記トレース接続端部分の一方が、前記主ヒューズの前記主トレース接続端部分の一方と接続され、前記トレース接続端部分のもう一方が、前記主トレース接続端部分のもう一方に隣接し、離間され、したがって、接続されず、前記主ヒューズ区間が前記電気切断を形成した後に、互いに隣接し、かつ離間された前記トレース接続端部分のもう一方及び前記主トレース接続端部分のもう一方が接続され、よって、前記予備ヒューズ及び前記回路トレースによって前記電流伝導経路が形成される、請求項１に記載の回路基板。
【請求項３】
互いに隣接し、かつ離間された前記トレース接続端部分のもう一方及び前記主トレース接続端部分のもう一方の各々が、拡大はんだ付けパッド領域を有する、請求項２に記載の回路基板。
【請求項４】
前記ヒューズユニットが、複数の予備ヒューズを備え、該複数の予備ヒューズの２つが、第１の予備ヒューズ及び第２の予備ヒューズとして定義され、
前記第１の予備ヒューズが、該第１の予備ヒューズの両端部にそれぞれ位置決めされた２つの第１のトレース接続端部分と、該２つの第１のトレース接続端部分の間に接続された第１のヒューズ区間とを有し、該第１のヒューズ区間及び前記主ヒューズ区間が、互いに離間され、かつ横並びに配設され、前記２つの第１のトレース接続端部分が、前記２つの主トレース接続端部分にそれぞれ隣接し、互いに隣接する前記第１のトレース接続端部分の一方及び前記主トレース接続端部分の一方が、接続され、互いに隣接する前記第１のトレース接続端部分のもう一方及び前記主トレース接続端部分のもう一方が、互いに離間され、かつ互いに接続されず、よって、前記第１のトレース接続端部分のもう一方が、前記回路トレースとの電気切断を形成し、
前記第２の予備ヒューズが、該第２の予備ヒューズの両端部にそれぞれ位置決めされた２つの第２のトレース接続端部分と、該２つの第２のトレース接続端部分の間に接続された第２のヒューズ区間とを有し、該第２のヒューズ区間及び前記第１のヒューズ区間が、前記主ヒューズ区間の両側にそれぞれ位置決めされ、前記主ヒューズ区間から離間され、かつ前記主ヒューズ区間と横並びに配設され、前記２つの第２のトレース接続端部分が、前記２つの主トレース接続端部分にそれぞれ隣接し、互いに隣接する前記第２のトレース接続端部分の一方及び前記主トレース接続端部分の一方が、接続され、互いに隣接する前記第２のトレース接続端部分のもう一方及び前記主トレース接続端部分のもう一方が、互いに離間され、よって、前記第２のトレース接続端部分のもう一方が、前記回路トレースとの電気切断を形成する、請求項１に記載の回路基板。
【請求項５】
前記２つの主トレース接続端部分の一方が、前記第１の予備ヒューズと接続され、かつ前記第２の予備ヒューズから離間され、前記２つの主トレース接続端部分のもう一方が、前記第２の予備ヒューズと接続され、かつ前記第１の予備ヒューズから離間される、請求項４に記載の回路基板。
【請求項６】
前記ヒューズユニットの前記ヒューズ区間及び前記主ヒューズ区間が、溶断タイプである、請求項１〜５のいずれか１項に記載の回路基板。
【請求項７】
前記絶縁基板が、可撓性材料である、請求項１に記載の回路基板。
【請求項８】
横並びに配設された複数のバッテリを接続するために使用されるバッテリ接続モジュールであって、
前記複数のバッテリ上に提供されるように使用される絶縁フレームと、
該絶縁フレームに提供された複数の母線であって、各母線が、少なくとも２つの隣接するバッテリの電極（８１）を電気的に接続するために使用される、複数の母線と、
絶縁基板と、該絶縁基板に提供された複数の回路トレースとを備える回路基板と、
複数の導電接続タブであって、各導電接続タブの両端部が、前記回路基板、及び前記母線の１つとそれぞれ接続され、各導電接続タブが、前記回路トレースの１つと接続される、複数の導電接続タブと、
該複数の導電接続タブにそれぞれ電気的に接続された前記複数の回路トレースが、各々ヒューズユニットを備え、該ヒューズユニットが、主ヒューズと、少なくとも１つの予備ヒューズとを備え、前記主ヒューズが、該主ヒューズの両端部にそれぞれ位置決めされ、かつ前記対応する回路トレースに接続された２つの主トレース接続端部分と、前記２つの主トレース接続端部分の間に接続された主ヒューズ区間とを有し、前記予備ヒューズが、前記予備ヒューズの両端部にそれぞれ位置決めされた２つのトレース接続端部分と、該２つのトレース接続端部分の間に接続されたヒューズ区間とを有し、該ヒューズ区間及び前記主ヒューズ区間が、互いに離間され、かつ横並びに配設され、前記２つのトレース接続端部分のうちの少なくとも一方が、前記対応する回路トレースとの電気切断を形成するために、前記対応する回路トレースと接続されず、前記主ヒューズ区間が電気切断を形成した後に、前記２つのトレース接続端部分が前記対応する回路トレースに接続され、よって、前記予備ヒューズ及び前記対応する回路トレースによって電流伝導経路が形成される、バッテリ接続モジュール。
【請求項９】
前記予備ヒューズの前記トレース接続端部分の一方が、前記主ヒューズの前記主トレース接続端部分の一方と接続され、前記トレース接続端部分のもう一方が、前記主トレース接続端部分のもう一方に隣接し、離間され、したがって、接続されず、前記主ヒューズ区間が前記電気切断を形成した後に、互いに隣接し、かつ離間された前記トレース接続端部分のもう一方及び前記主トレース接続端部分のもう一方が接続され、よって、前記予備ヒューズ及び前記対応する回路トレースによって前記電流伝導経路が形成される、請求項８に記載のバッテリ接続モジュール。
【請求項１０】
互いに隣接し、かつ離間された前記トレース接続端部分のもう一方及び前記主トレース接続端部分のもう一方が、各々拡大はんだ付けパッド領域を有する、請求項９に記載のバッテリ接続モジュール。
【請求項１１】
前記ヒューズユニットが、複数の予備ヒューズを備え、該複数の予備ヒューズの２つが、第１の予備ヒューズ及び第２の予備ヒューズとして定義され、
前記第１の予備ヒューズが、前記第１の予備ヒューズの両端部にそれぞれ位置決めされた２つの第１のトレース接続端部分と、該２つの第１のトレース接続端部分の間に接続された第１のヒューズ区間とを有し、該第１のヒューズ区間及び前記主ヒューズ区間が、互いに離間され、かつ横並びに配設され、前記２つの第１のトレース接続端部分が、前記２つの主トレース接続端部分にそれぞれ隣接し、互いに隣接する前記第１のトレース接続端部分の一方及び前記主トレース接続端部分の一方が、接続され、互いに隣接する前記第１のトレース接続端部分のもう一方及び前記主トレース接続端部分のもう一方が、互いに離間され、かつ互いに接続されず、よって、前記第１のトレース接続端部分のもう一方が、前記対応する回路トレースとの電気切断を形成し、
前記第２の予備ヒューズが、該第２の予備ヒューズの両端部にそれぞれ位置決めされた２つの第２のトレース接続端部分と、該２つの第２のトレース接続端部分の間に接続された第２のヒューズ区間とを有し、該第２のヒューズ区間及び前記第１のヒューズ区間が、前記主ヒューズ区間の両側にそれぞれ位置決めされ、前記主ヒューズ区間から離間され、かつ前記主ヒューズ区間と横並びに配設され、前記２つの第２のトレース接続端部分が、前記２つの主トレース接続端部分にそれぞれ隣接し、互いに隣接する前記第２のトレース接続端部分の一方及び前記主トレース接続端部分の一方が、接続され、互いに隣接する前記第２のトレース接続端部分のもう一方及び前記主トレース接続端部分のもう一方が、互いに離間され、よって、前記第２のトレース接続端部分のもう一方が、前記対応する回路トレースとの電気切断を形成する、請求項８に記載のバッテリ接続モジュール。
【請求項１２】
前記２つの主トレース接続端部分の一方が、前記第１の予備ヒューズと接続され、かつ前記第２の予備ヒューズから離間され、前記２つの主トレース接続端部分のもう一方が、前記第２の予備ヒューズと接続され、かつ前記第１の予備ヒューズから離間される、請求項１１に記載のバッテリ接続モジュール。
【請求項１３】
前記ヒューズユニットの前記ヒューズ区間及び前記主ヒューズ区間が、溶断タイプである、請求項８に記載のバッテリ接続モジュール。
【請求項１４】
前記絶縁基板が、可撓性材料である、請求項８〜１３のいずれか１項に記載のバッテリ接続モジュール。
【請求項１５】
前記バッテリ接続モジュールが、複数の補助接続タブを更に備え、各補助接続タブの両端部が、前記回路基板、及び前記母線の１つとそれぞれ接続され、各補助接続タブが、前記複数の回路トレースのいずれとも接続されない、請求項１４に記載のバッテリ接続モジュール。
【請求項１６】
横並びに配設された複数のバッテリを接続するために使用されるバッテリ接続モジュールであって、
前記複数のバッテリ上に提供されるように使用される絶縁フレームと、
該絶縁フレームに提供された複数の母線であって、各母線が、少なくとも２つの隣接するバッテリの電極を電気的に接続するために使用される、複数の母線と、
絶縁基板と、該絶縁基板に提供された複数の回路トレースとを備える回路基板と、
複数の導電接続タブであって、各導電接続タブの両端部が、前記回路基板、及び前記母線の１つとそれぞれ接続され、各導電接続タブが、回路トレースの１つに接続される、複数の導電接続タブと、
複数の補助接続タブであって、各補助接続タブの両端部が、前記回路基板、及び前記母線の１つとそれぞれ接続され、各補助接続タブが、前記複数の回路トレースのいずれとも接続されない、複数の補助接続タブと、を備える、バッテリ接続モジュール。
【請求項１７】
前記複数の導電接続タブにそれぞれ電気的に接続された前記複数の回路トレースが、各々ヒューズユニットを備え、該ヒューズユニットが、主ヒューズと、少なくとも１つの予備ヒューズとを備え、前記主ヒューズが、該主ヒューズの両端部にそれぞれ位置決めされ、かつ前記対応する回路トレースに接続された２つの主トレース接続端部分と、該２つの主トレース接続端部分の間に接続された主ヒューズ区間とを有し、前記予備ヒューズが、該予備ヒューズの両端部にそれぞれ位置決めされた２つのトレース接続端部分と、該２つのトレース接続端部分の間に接続されたヒューズ区間とを有し、該ヒューズ区間及び前記主ヒューズ区間が、互いに離間され、かつ横並びに配設され、前記２つのトレース接続端部分のうちの少なくとも一方が、前記対応する回路トレースとの電気切断を形成するために、前記対応する回路トレースと接続されず、前記主ヒューズ区間が電気切断を形成した後に、前記２つのトレース接続端部分が前記対応する回路トレースに接続され、よって、前記予備ヒューズ及び前記対応する回路トレースによって電流伝導経路が形成される、請求項１６に記載のバッテリ接続モジュール。
【請求項１８】
前記絶縁フレームが、本体と、該本体から突出した複数の位置決めポストとを有し、前記回路基板の前記絶縁基板が、前記複数の位置決めポストを対応して収容する複数の位置決め孔を有し、よって、前記回路基板及び前記絶縁フレームが互いに対して位置決めされる、請求項１６又は１７に記載のバッテリ接続モジュール。
【請求項１９】
前記絶縁基板が、可撓性材料であり、前記回路基板が、前記絶縁基板に提供された複数の強化タブを更に備え、各強化タブが、適所の前記位置決め孔の少なくとも１つを横切って対応して延在し、前記位置決め孔に対応する各強化タブの位置に、前記対応する位置決めポストが通過することを可能にする貫通孔が形成されている、請求項１８に記載のバッテリ接続モジュール。
【請求項２０】
前記複数の母線の一部が、各々少なくとも２つの電極接続部分と、少なくとも１つの緩衝部分とを有し、１つの緩衝部分が、２つの隣接する電極接続部分毎の間に接続され、前記少なくとも２つの電極接続部分及び前記少なくとも１つの緩衝部分が、一体構造である、請求項１６又は１７に記載のバッテリ接続モジュール。
【請求項２１】
前記複数の母線の一部が、各々４つの電極接続部分と、３つの緩衝部分とを有し、１つの緩衝部分が、２つの隣接する電極接続部分毎の間に接続され、前記４つの電極接続部分及び前記３つの緩衝部分が、一体構造である、請求項１６又は１７に記載のバッテリ接続モジュール。
【請求項２２】
前記複数の母線が、前記複数のバッテリを直列に接続するために使用され、前記直列に接続された複数のバッテリの両端部にそれぞれ位置付けられた２つの母線が、出力電極部材であり、前記バッテリ接続モジュールが、延長接続タブを更に備え、該延長接続タブが、該延長接続タブの２つの対向する端部に位置決めされた第１の端部及び第２の端部を有し、前記第１の端部が、前記出力電極部材の一方に接続され、前記第２の端部及び前記出力電極部材のもう一方が、前記絶縁フレームの同じ側に位置決めされる、請求項１６又は１７に記載のバッテリ接続モジュール。
【請求項２３】
前記バッテリ接続モジュールが、前記複数の母線、前記回路基板、前記複数の導電接続タブ、及び前記複数の補助接続タブを覆うために、前記絶縁フレームを覆うカバーを更に備える、請求項１６又は１７に記載のバッテリ接続モジュール。
【発明の詳細な説明】
【技術分野】
【０００１】
本開示は、回路基板に関し、特に、プリント回路基板及びバッテリ接続モジュールに関する。
【背景技術】
【０００２】
ヒューズは、しばしば、一般回路の安全保護に使用される。例えば、中国特許出願公開第ＣＮ２０３６９１７５８Ｕ号は、フレキシブルプリント回路基板を開示しており、その中では、溶断モジュールが、その回路に提供され、溶断モジュールが、直列に接続された２つ以上の溶断アセンブリを備え、溶断アセンブリの各々が、並列に接続されたコネクタ及び溶断ワイヤを備え、コネクタが、互いに離間された２つのパッドを備える。溶断モジュールの動作原理は、次の通りであり、すなわち、溶断アセンブリの一方を作動させるために、作動中の溶断アセンブリのコネクタの２つのパッドが電気的に接続されず、したがって、電流伝導経路を形成せず、よって、作動中の溶断アセンブリを通って流れる電流が溶断ワイヤだけを通って流れ、そして、（予備として）作動中ではない溶断アセンブリのもう一方のコネクタの２つパッドがスズはんだと電気的に接続されて、電流伝導経路を形成し、よって、電流が溶断アセンブリのコネクタのもう一方を通って流れることができる。２つの溶断アセンブリを一例とすると、作動中の溶断アセンブリの溶断ワイヤが溶断したとき、その修理方法は、作動中の溶断アセンブリのコネクタの２つのパッドをスズはんだによって電気的に接続して電流伝導経路を形成し、予備としての溶断アセンブリのコネクタのスズはんだを除去するものであり、よって、予備としての溶断アセンブリのコネクタの２つのパッドが電気的に接続されなくなり、予備としての溶断アセンブリを通って流れる電流が溶断ワイヤだけを通って流れ、すなわち、予備としての溶断ワイヤが作動することになる。
【０００３】
上述した溶断モジュールの溶断アセンブリが直列に接続され、各溶断アセンブリが、並列に接続されたコネクタ及び溶断ワイヤを備えるため、回路基板上でより多くの領域を占有することが必要になるだけでなく、最初に、予備としての溶断アセンブリのコネクタをはんだ付けして電流伝導経路を形成することが必要であり、次いで、予備としての溶断アセンブリを作動させるときには、その上のスズはんだを除去して電気切断を形成することも必要であり、不都合である。
【発明の概要】
【課題を解決するための手段】
【０００４】
したがって、本開示の１つの目的は、単純な回路によるヒューズユニットを有し、修復時の作業手順がより簡単で好都合である回路基板を提供することである。
【０００５】
したがって、本開示の別の目的は、横並びに配設された複数のバッテリを接続するために使用されるバッテリ接続モジュールを提供することである。
【０００６】
故に、ある実施形態において、本開示の回路基板は、絶縁基板と、絶縁基板に提供された複数の回路トレースとを備える。回路トレースの少なくとも１つは、ヒューズユニットを備え、ヒューズユニットは、主ヒューズ及び少なくとも１つの予備ヒューズを備え、主ヒューズは、主ヒューズの両端部にそれぞれ位置決めされ、かつ回路トレースに接続された２つの主トレース接続端部分と、２つの主トレース接続端部分の間に接続された主ヒューズ区間とを有し、予備ヒューズは、予備ヒューズの両端部にそれぞれ位置決めされた２つのトレース接続端部分と、２つのトレース接続端部分の間に接続されたヒューズ区間とを有し、ヒューズ区間及び主ヒューズ区間は、互いに離間され、かつ横並びに配設され、２つのトレース接続端部分のうちの少なくとも一方は、回路トレースとの電気切断を形成するために、回路トレースと接続されず、主ヒューズ区間が電気切断を形成した後に、２つのトレース接続端部分が回路トレースに接続され、よって、予備ヒューズ及び回路トレースによって電流伝導経路が形成される。
【０００７】
ある実施形態において、予備ヒューズのトレース接続端部分の一方は、主ヒューズの主トレース接続端部分の一方と接続され、トレース接続端部分のもう一方は、主トレース接続端部分のもう一方に隣接し、離間され、したがって、接続されず、主ヒューズ区間が電気切断を形成した後に、互いに隣接し、かつ離間されたトレース接続端部分のもう一方及び主トレース接続端部分のもう一方が接続され、よって、予備ヒューズ及び回路トレースによって電流伝導経路が形成される。
【０００８】
ある実施形態において、互いに隣接し、かつ離間されたトレース接続端部分のもう一方及び主トレース接続端部分のもう一方は、拡大はんだ付けパッド領域を有する。
【０００９】
ある実施形態において、ヒューズユニットは、複数の予備ヒューズを備え、複数の予備ヒューズの２つは、第１の予備ヒューズ及び第２の予備ヒューズとして定義され、第１の予備ヒューズは、第１の予備ヒューズの両端部にそれぞれ位置決めされた２つの第１のトレース接続端部分と、２つの第１のトレース接続端部分の間に接続された第１のヒューズ区間とを有し、第１のヒューズ区間及び主ヒューズ区間は、互いに離間され、かつ横並びに配設され、２つの第１のトレース接続端部分は、２つの主トレース接続端部分にそれぞれ隣接し、互いに隣接する第１のトレース接続端部分の一方及び主トレース接続端部分の一方は、接続され、互いに隣接する第１のトレース接続端部分のもう一方及び主トレース接続端部分のもう一方は、互いに離間され、かつ互いに接続されず、よって、第１のトレース接続端部分のもう一方は、回路トレースとの電気切断を形成し、第２の予備ヒューズは、第２の予備ヒューズの両端部にそれぞれ位置決めされた２つの第２のトレース接続端部分と、２つの第２のトレース接続端部分の間に接続された第２のヒューズ区間とを有し、第２のヒューズ区間及び第１のヒューズ区間は、主ヒューズ区間の両側にそれぞれ位置決めされ、主ヒューズ区間から離間され、かつ主ヒューズ区間と横並びに配設され、２つの第２のトレース接続端部分は、２つの主トレース接続端部分にそれぞれ隣接し、互いに隣接する第２のトレース接続端部分の一方及び主トレース接続端部分の一方は、接続され、互いに隣接する第２のトレース接続端部分のもう一方及び主トレース接続端部分のもう一方は、互いに離間され、よって、第２のトレース接続端部分のもう一方は、回路トレースとの電気切断を形成する。
【００１０】
ある実施形態において、２つの主トレース接続端部分の一方は、第１の予備ヒューズと接続され、かつ第２の予備ヒューズから離間され、２つの主トレース接続端部分のもう一方は、第２の予備ヒューズと接続され、かつ第１の予備ヒューズから離間される。
【００１１】
ある実施形態において、ヒューズユニットのヒューズ区間及び主ヒューズ区間は、溶断タイプである。
【００１２】
ある実施形態において、絶縁基板は、可撓性材料である。
【００１３】
故に、ある実施形態において、本開示のバッテリ接続モジュールは、横並びに配設された複数のバッテリを接続するために使用され、バッテリ接続モジュールは、複数のバッテリ上に提供されるように使用される絶縁フレームと、複数の母線と、回路基板と、複数の導電接続タブとを備える。複数の母線は、絶縁フレームに提供され、各母線は、少なくとも２つの隣接するバッテリの電極（８１）を電気的に接続するために使用される。回路基板は、絶縁基板と、絶縁基板に提供された複数の回路トレースとを備える。各導電接続タブの両端部は、回路基板、及び母線の１つとそれぞれ接続され、各導電接続タブは、回路トレースの１つと接続される。複数の導電接続タブにそれぞれ電気的に接続された複数の回路トレースは、各々ヒューズユニットを備え、ヒューズユニットは、主ヒューズと、少なくとも１つの予備ヒューズとを備え、主ヒューズは、主ヒューズの両端部にそれぞれ位置決めされ、かつ対応する回路トレースに接続された２つの主トレース接続端部分と、２つの主トレース接続端部分の間に接続された主ヒューズ区間とを有し、予備ヒューズは、予備ヒューズの両端部にそれぞれ位置決めされた２つのトレース接続端部分と、２つのトレース接続端部分の間に接続されたヒューズ区間とを有し、ヒューズ区間及び主ヒューズ区間は、互いに離間され、かつ横並びに配設され、２つのトレース接続端部分のうちの少なくとも一方は、対応する回路トレースとの電気切断を形成するために、対応する回路トレースと接続されず、主ヒューズ区間が電気切断を形成した後に、２つのトレース接続端部分が対応する回路トレースに接続され、よって、予備ヒューズ及び対応する回路トレースによって電流伝導経路が形成される。
【００１４】
ある実施形態において、予備ヒューズのトレース接続端部分の一方は、主ヒューズの主トレース接続端部分の一方と接続され、トレース接続端部分のもう一方は、主トレース接続端部分のもう一方に隣接し、離間され、したがって、主トレース接続端部分と接続されず、主ヒューズ区間が電気切断を形成した後に、互いに隣接し、かつ離間されたトレース接続端部分のもう一方及び主トレース接続端部分のもう一方が接続され、よって、予備ヒューズ及び対応する回路トレースによって電流伝導経路が形成される。
【００１５】
ある実施形態において、互いに隣接し、かつ離間されたトレース接続端部分のもう一方及び主トレース接続端部分のもう一方は、拡大はんだ付けパッド領域を有する。
【００１６】
ある実施形態において、ヒューズユニットは、複数の予備ヒューズを備え、複数の予備ヒューズの２つは、第１の予備ヒューズ及び第２の予備ヒューズとして定義され、第１の予備ヒューズは、第１の予備ヒューズの両端部にそれぞれ位置決めされた２つの第１のトレース接続端部分と、２つの第１のトレース接続端部分の間に接続された第１のヒューズ区間とを有し、第１のヒューズ区間及び主ヒューズ区間は、互いに離間され、かつ横並びに配設され、２つの第１のトレース接続端部分は、２つの主トレース接続端部分にそれぞれ隣接し、互いに隣接する第１のトレース接続端部分の一方及び主トレース接続端部分の一方は、接続され、互いに隣接する第１のトレース接続端部分のもう一方及び主トレース接続端部分のもう一方は、互いに離間され、かつ互いに接続されず、よって、第１のトレース接続端部分のもう一方は、対応する回路トレースとの電気切断を形成し、第２の予備ヒューズは、第２の予備ヒューズの両端部にそれぞれ位置決めされた２つの第２のトレース接続端部分と、２つの第２のトレース接続端部分の間に接続された第２のヒューズ区間とを有し、第２のヒューズ区間及び第１のヒューズ区間は、主ヒューズ区間の両側にそれぞれ位置決めされ、主ヒューズ区間から離間され、かつ主ヒューズ区間と横並びに配設され、２つの第２のトレース接続端部分は、２つの主トレース接続端部分にそれぞれ隣接し、互いに隣接する第２のトレース接続端部分の一方及び主トレース接続端部分の一方は、接続され、互いに隣接する第２のトレース接続端部分のもう一方及び主トレース接続端部分のもう一方は、互いに離間され、よって、第２のトレース接続端部分のもう一方が、対応する回路トレースとの電気切断を形成する。
【００１７】
ある実施形態において、２つの主トレース接続端部分の一方は、第１の予備ヒューズと接続され、かつ第２の予備ヒューズから離間され、２つの主トレース接続端部分のもう一方は、第２の予備ヒューズと接続され、かつ第１の予備ヒューズから離間される。
【００１８】
ある実施形態において、ヒューズユニットのヒューズ区間及び主ヒューズ区間は、溶断タイプである。
【００１９】
ある実施形態において、絶縁基板は、可撓性材料である。
【００２０】
ある実施形態において、バッテリ接続モジュールは、複数の補助接続タブを更に備え、各補助接続タブの両端部は、回路基板、及び母線の１つとそれぞれ接続され、各補助接続タブは、複数の回路トレースのいずれとも接続されない。
【００２１】
ある実施形態において、本開示のバッテリ接続モジュールは、横並びに配設された複数のバッテリを接続するために使用され、本バッテリ接続モジュールは、複数のバッテリ上に提供されるように使用される絶縁フレームと、複数の母線と、回路基板と、複数の導電接続タブと、複数の補助接続タブとを備える。複数の母線は、絶縁フレームに提供され、各母線は、少なくとも２つの隣接するバッテリの電極を電気的に接続するために使用される。回路基板は、絶縁基板と、絶縁基板に提供された複数の回路トレースとを備える。各導電接続タブの両端部は、回路基板、及び母線の１つとそれぞれ接続され、各導電接続タブは、回路トレースの１つに接続される。各補助接続タブの両端部は、回路基板、及び母線の１つとそれぞれ接続され、各補助接続タブは、複数の回路トレースのいずれとも接続されない。
【００２２】
ある実施形態において、複数の導電接続タブにそれぞれ電気的に接続された複数の回路トレースは、各々ヒューズユニットを備え、ヒューズユニットは、主ヒューズと、少なくとも１つの予備ヒューズとを備え、主ヒューズは、主ヒューズの両端部にそれぞれ位置決めされ、かつ対応する回路トレースに接続された２つの主トレース接続端部分と、２つの主トレース接続端部分の間に接続された主ヒューズ区間とを有し、予備ヒューズは、予備ヒューズの両端部にそれぞれ位置決めされた２つのトレース接続端部分と、２つのトレース接続端部分の間に接続されたヒューズ区間とを有し、ヒューズ区間及び主ヒューズ区間は、互いに離間され、かつ横並びに配設され、２つのトレース接続端部分のうちの少なくとも一方は、対応する回路トレースとの電気切断を形成するために、対応する回路トレースと接続されず、主ヒューズ区間が電気切断を形成した後に、２つのトレース接続端部分が対応する回路トレースに接続され、よって、予備ヒューズ及び対応する回路トレースによって電流伝導経路が形成される。
【００２３】
ある実施形態において、絶縁フレームは、本体と、本体から突出した複数の位置決めポストとを有し、回路基板の絶縁基板は、複数の位置決めポストを対応して収容する複数の位置決め孔を有し、よって、回路基板及び絶縁フレームが互いに対して位置決めされる。
【００２４】
ある実施形態において、絶縁基板は、可撓性材料であり、回路基板は、絶縁基板に提供された複数の強化タブを更に備え、各強化タブは、適所の位置決め孔の少なくとも１つを横切って対応して延在し、位置決め孔に対応する各強化タブの位置に、対応する位置決めポストが通過することを可能にする貫通孔が形成されている。
【００２５】
ある実施形態において、複数の母線の一部は、各々少なくとも２つの電極接続部分と、少なくとも１つの緩衝部分とを有し、１つの緩衝部分は、２つの隣接する電極接続部分毎に間に接続され、少なくとも２つの電極接続部分及び少なくとも１つの緩衝部分は、一体構造である。
【００２６】
ある実施形態において、複数の母線の一部は、各々４つの電極接続部分と、３つの緩衝部分とを有し、１つの緩衝部分が、２つの隣接する電極接続部分毎の間に接続され、４つの電極接続部分及び３つの緩衝部分は、一体構造である。
【００２７】
ある実施形態において、複数の母線は、複数のバッテリを直列に接続するために使用され、直列に接続された複数のバッテリの両端部にそれぞれ位置付けられた２つの母線は、出力電極部材であり、バッテリ接続モジュールは、延長接続タブを更に備え、延長接続タブは、延長接続タブの２つの対向する端部に位置決めされた第１の端部及び第２の端部を有し、第１の端部は、出力電極部材の一方に接続され、第２の端部及び出力電極部材のもう一方が、絶縁フレームの同じ側に位置決めされる。
【００２８】
ある実施形態において、バッテリ接続モジュールは、複数の母線、回路基板、複数の導電接続タブ、及び複数の補助接続タブを覆うために、絶縁フレームを覆うカバーを更に備える。
【００２９】
本開示は、少なくとも以下の効果を有し、すなわち、ヒューズユニット全体の単純な回路によって、ヒューズユニットによって占有される領域を低減させることができ、ヒューズユニットは、回路基板を交換するコストを節約するために、主ヒューズが溶断したときに修理することができ、修理時の作業手順は、より単純で好都合である。更に、複数の予備ヒューズは、回路基板の耐用年数を延ばすために、要件に従って増加させることができ、修理回数を低減させることができる。母線と回路基板との間の接続強度は、電気的接続部の安定性を維持するために、補助接続タブによって増大させることができる。
【図面の簡単な説明】
【００３０】
本開示の他の特徴及び効果は、図面を参照しながら、実施形態から明らかになるであろう。
【００３１】
【図１】本開示のバッテリ接続モジュールの一実施形態と複数のバッテリとの組み合わせを図示する斜視図である。
【図２】実施形態と複数のバッテリとの組み立て関係を図示する分解斜視図である。
【図３】実施形態の分解斜視図である。
【図４】実施形態の分解斜視図である。
【図５】実施形態の分解斜視図である。
【図６】実施形態の回路基板の回路配置を図示する図である。
【図７】ヒューズユニットと関連付けられる部分だけを表した状態の、図６の部分概略図である。
【図８】実施形態のヒューズユニットの別の実施形態の回路配置を図示する図である。
【図９】カバーを除去した状態の、実施形態の上面図である。
【図１０】実施形態の複数の導電接続タブの様々な実施形態を図示する分解斜視図である。
【図１１】実施形態の複数の導電接続タブの様々な実施形態を図示する上面図である。
【符号の説明】
【００３２】
図中の参照番号は、以下のように表されている。
【００３３】
１  バッテリ接続モジュール
２  絶縁フレーム
２１  本体
２１１  収容溝
２１２  陥凹部分
２２  突出ポスト
２３  位置決めポスト
２４  ラッチ突起
３  母線
３’  出力電極部材
３１  電極接続部分
３２  緩衝部分
４  回路基板
４１  絶縁基板
４１１  位置決め孔
４２  回路トレース
４２２  ヒューズユニット
４２３  主ヒューズ
４２３ａ  主トレース接続端部分
４２３ｂ  主ヒューズ区間
４２３ｃ  はんだ付けパッド領域
４２４  第１の予備ヒューズ
４２４ａ  第１のトレース接続端部分
４２４ｂ  第１のヒューズ区間
４２４ｃ  はんだ付けパッド領域
４２５  第２の予備ヒューズ
４２５ａ  第２のトレース接続端部分
４２５ｂ  第２のヒューズ区間
４３  強化タブ
４３１  貫通孔
４４  強化バックプレート
５  導電接続タブ
５’  補助接続タブ
６  延長接続タブ
６１  第１の端部
６２  第２の端部
６３  固定孔
７  カバー
７１  ラッチ孔
８  バッテリ
８１  電極
９  はんだ
１０  電気コネクタ
【発明を実施するための形態】
【００３４】
本開示を詳細に説明する前に、以下の説明において、同じ要素は、同じ参照番号で示されることに留意されたい。
【００３５】
図１及び図２を参照すると、本開示におけるバッテリ接続モジュール１の一実施形態は、横並びに配設された複数のバッテリ８を接続するために使用される。
【００３６】
図２〜図５を参照すると、バッテリ接続モジュール１は、絶縁フレーム２と、複数の母線３と、回路基板４と、複数の導電接続タブ５と、複数の補助接続タブ５’と、延長接続タブ６と、カバー７とを備える。
【００３７】
絶縁フレーム２は、複数のバッテリ８上に提供されるように使用され、また、本体２１を有し、本体２１は、複数の母線３を対応して収容し、かつ適所で複数の母線３を制限する複数の収容溝２１１と共に形成され、複数の陥凹部分２１２は、各収容溝２１１内に形成される。複数の母線３は、絶縁フレーム２に提供され、また、複数の収容溝２１１内にそれぞれ位置決めされる。各母線３は、少なくとも２つの隣接するバッテリ８の電極８１を電気的に接続するために使用される。複数の母線３は、複数のバッテリ８を直列に接続するために使用され、直列に接続された複数のバッテリの両端部にそれぞれ位置決めされた２つの母線３は、出力電極部材３’である。複数の母線３の一部は、各々少なくとも２つの電極接続部分３１と、少なくとも１つの緩衝部分３２とを有し、よって、１つの緩衝部分３２は、２つの隣接する電極接続部分３１毎の間に接続され、少なくとも２つの電極接続部分３１及び少なくとも１つの緩衝部分３２は、一体構造である。本実施形態において、２つの出力電極部材３’を除いて、他の母線３は、各々４つの電極接続部分３１と、３つの緩衝部分３２とを有し、よって、１つの緩衝部分３２が、２つの隣接する電極接続部分３１毎の間に接続され、４つの電極接続部分３１及び３つの緩衝部分３２は、一体構造であるが、各出力電極部材３’は、２つの電極接続部分３１と、２つの電極接続部分３１の間に接続される１つの緩衝部分３２とを有する。各電極接続部分３１は、１つの陥凹部分２１２に対応して提供され、電極接続部分３１は、バッテリ８の電極８１（一般に、正極又は負極である）に接触させるために、絶縁フレーム２の底面に露出させることができる。
【００３８】
本実施形態において、複数の母線３、３’は、最初に２つのバッテリ８毎に並列に接続され、次いで、並列に接続した２つのバッテリ８が更に直列に接続される方式で、複数のバッテリ８を直列に接続させる。複数の母線３は、２列に配設され、互いに離間され、かつ横並びに配設され、２つの出力電極部材３’は、外部ワイヤ（図示せず）と接続するために、同じ列の両端部に位置決めされる。本実施形態では、延長接続タブ６が追加的に提供され、延長接続タブ６は、互いに離間された２列の母線３の間の空間内に位置決めされ、また、それぞれ２つの対向する端部に位置決めされた第１の端部６１と、第２の端部６２とを有し、第１の端部６１は、出力電極部材３’の一方に接続され、第２の端部６２、及び出力電極部材３’のもう一方は、絶縁フレーム２の同じ側に位置決めされる。すなわち、絶縁フレーム２は、矩形状であり、２つの出力電極部材３’は、絶縁フレーム２の２つの短い側にそれぞれ隣接する位置に位置決めされ、延長接続タブ６の位置及び外部ワイヤ（図示せず）に接続される出力電極部材３’のもう一方の位置は、絶縁フレーム２の同じ短い側に位置決めすることができ、それによって、延長接続タブ６が出力電極部材３’の一方に接続され、よって、２つの出力電極部材３’を外部ワイヤと接続することに好都合である。更に、本実施形態において、絶縁フレーム２は、本体２１から突出した複数の突出ポスト２２を更に有し、複数の固定孔６３が、複数の突出ポスト２２が通過することをそれぞれが可能にするために、延長接続タブ６に形成される。一実施形態において、固定孔６３を通過する複数の突出ポスト２２の各々の端部は、延長接続タブ６を更に固定するために、加熱溶融することができ、拡大ヘッドになる。
【００３９】
図６及び図７を参照すると、回路基板４は、１つの絶縁基板４１と、絶縁基板４１に提供された複数の回路トレース４２とを備え、回路トレース４２の少なくとも１つは、ヒューズユニット４２２を備える。本実施形態において、複数の導電接続タブ５とそれぞれ電気的に接続された複数の回路トレース４２の各々は、ヒューズユニット４２２を備える。ヒューズユニット４２２は、主ヒューズ４２３と、第１の予備ヒューズ４２４とを備える。主ヒューズ４２３は、主ヒューズ４２３の両端部にそれぞれ位置決めされ、かつ回路トレース４２に接続された２つの主トレース接続端部分４２３ａと、２つの主トレース接続端部分４２３ａの間に接続された主ヒューズ区間４２３ｂとを有し、第１の予備ヒューズ４２４は、第１の予備ヒューズ４２４の両端部にそれぞれ位置決めされた２つの第１のトレース接続端部分４２４ａと、２つの第１のトレース接続端部分４２４ａの間に接続された第１のヒューズ区間４２４ｂとを有する。第１のヒューズ区間４２４ｂ及び主ヒューズ区間４２３ｂは、互いに離間され、かつ横並びに配設され、２つの第１のトレース接続端部分４２４ａは、２つの主トレース接続端部分４２３ａにそれぞれ隣接し、２つの第１のトレース接続端部分４２４ａのうちの少なくとも一方は、回路トレース４２との電気切断を形成するために、対応する回路トレース４２と接続されず、主ヒューズ区間４２３ｂが電気切断を形成した後に、２つの第１のトレース接続端部分４２４ａが回路トレース４２に接続され、よって、第１の予備ヒューズ４２４及び回路トレース４２によって電流伝導経路が形成される。本実施形態において、第１の予備ヒューズ４２４の２つの第１のトレース接続端部分４２４ａのうちの一方は、主ヒューズ４２３の２つの主トレース接続端部分４２３ａのうちの一方と接続され、第１のトレース接続端部分４２４ａのもう一方は、主トレース接続端部分４２３ａのもう一方に隣接し、離間され、したがって、接続されず、主ヒューズ区間４２３ｂが電気切断を形成した後に、互いに隣接し、かつ離間された第１のトレース接続端部分４２４ａのもう一方及び主トレース接続端部分４２３ａのもう一方は、各々拡大はんだ付けパッド領域４２３ｃ、４２４ｃを有し、よって、互いに隣接し、かつ離間された第１のトレース接続端部分４２４ａのもう一方及び主トレース接続端部分４２３ａのもう一方は、２つのはんだ付けパッド領域４２３ｃ、４２４ｃを介して接続され、すなわち、２つのはんだ付けパッド領域４２３ｃ、４２４ｃは、はんだ付け方法によってはんだ９と接続することができ、よって、第１の予備ヒューズ４２４及び回路トレース４２によって電流伝導経路が形成される。よって、回路基板４の耐用年数を延ばし、修理手順を単純化し、かつ、回路基板４を交換するコストを節約するために、主ヒューズ４２３が電気切断を形成した後に、互いに隣接し、かつ離間された第１のトレース接続端部分４２４ａ及び主トレース接続端部分４２３ａが接続されている限り、第１の予備ヒューズ４２４を機能させ始めることができる。本実施形態において、絶縁基板４１は、可撓性材料であり、すなわち、回路基板４は、可撓性回路基板であり、ヒューズユニット４２２の主ヒューズ区間４２３ｂ及び第１のヒューズ区間４２４ｂはどちらも、溶断タイプのヒューズである。
【００４０】
追加的に図８を参照すると、変更した一実施形態において、ヒューズユニット４２２は、第２の予備ヒューズ４２５を更に備え、第２の予備ヒューズ４２５は、第２の予備ヒューズ４２５の両端部にそれぞれ位置決めされた２つの第２のトレース接続端部分４２５ａと、２つの第２のトレース接続端部分４２５ａの間に接続された第２のヒューズ区間４２５ｂとを有し、第２のヒューズ区間４２５ｂ及び第１のヒューズ区間４２４ｂは、主ヒューズ区間４２３ｂの両側にそれぞれ位置決めされ、主ヒューズ区間４２３ｂから離間され、かつ主ヒューズ区間４２３ｂと横並びに配設され、２つの第２のトレース接続端部分４２５ａは、２つの主トレース接続端部分４２３ａにそれぞれ隣接し、第２のトレース接続端部分４２５ａの一方及び主トレース接続端部分４２３ａの一方は、互いに隣接し、かつ接続され、第２のトレース接続端部分４２５ａのもう一方及び主トレース接続端部分４２３ａのもう一方は、互いに隣接し、かつ互いに離間され、よって、第２のトレース接続端部分４２５ａのもう一方が、回路トレース４２との電気切断を形成する。好ましくは、２つの主トレース接続端部分４２３ａの一方は、第１の予備ヒューズ４２４と接続され、かつ第２の予備ヒューズ４２５から離間され、主トレース接続端部分４２３ａのもう一方は、第２の予備ヒューズ４２５と接続され、かつ第１の予備ヒューズ４２４から離間される。しかしながら、別の変更した実施形態において、同じ主トレース接続端部分４２３ａは、第１の予備ヒューズ４２４及び第２の予備ヒューズ４２５の両方と接続することができ、主トレース接続端部分４２３ａのもう一方は、第１の予備ヒューズ４２４及び第２の予備ヒューズ４２５の両方から同時に離間される。第２の予備ヒューズ４２５を追加的に提供することによって、もう一つの修理の可能性を追加することができ、変更した実施形態によれば、予備ヒューズは、合計で２つに限定されず、実際の要求に従って２つを超えて増加させることができ、例えば、第３の予備ヒューズ、第４の予備ヒューズ等を加えることができ、すなわち、合計で少なくとも１つの予備ヒューズを提供することができ、また、合計で２つ以上の予備ヒューズを提供することもでき、この実施形態に限定されないこと、を理解することができる。本実施形態において、主ヒューズ４２３、第１の予備ヒューズ４２４、第２の予備ヒューズ４２５は、横並びに配設され、ヒューズユニットによって占有される領域を低減させることができ、ヒューズユニット４２２全体の回路は、単純であり、修理時の作業手順は、より単純である。
【００４１】
図５、図６、及び図９を参照すると、各導電接続タブ５の両端部は、回路基板４、及び母線３の１つとそれぞれ接続され、各導電接続タブ５は、回路トレース４２の１つと接続される。各補助接続タブ５’の両端部は、回路基板４、及び母線３の１つとそれぞれ接続され、各補助接続タブ５’は、複数の回路トレース４２のいずれとも接続されない。母線３と回路基板４との間の接続強度は、電気的接続部の安定性を維持するために、補助接続タブ５’によって増大させることができる。当然、図１０及び図１１を参照すると、変更した一実施形態において、母線３が導電接続タブ５にだけ接続されるように実施することもできる。
【００４２】
図５及び図９を再度参照すると、本実施形態において、絶縁フレーム２は、本体２１から突出した複数の位置決めポスト２３を更に有し、回路基板４の絶縁基板４１は、複数の位置決めポスト２３を対応して収容する複数の位置決め孔４１１を有し、よって、回路基板４及び絶縁フレーム２が互いに対して位置決めされる。そして、回路基板４は、絶縁基板４１に提供された複数の強化タブ４３を更に備え、各強化タブ４３は、適所の位置決め孔４１１の少なくとも１つを横切って対応して延在し、位置決め孔４１１に対応する各強化タブ４３の位置に、対応する位置決めポスト２３が通過することを可能にする貫通孔４３１が形成されている。具体的には、本実施形態において、各強化タブ４３は、絶縁基板４１に横置きに提供され、また、２つの位置決め孔４１１及び２つの位置決めポスト２３にそれぞれ対応するように、２つの貫通孔４３１と共に形成される。回路基板４及び絶縁フレーム２は、位置決め孔４１１及び位置決めポスト２３によって互いに対して位置決めされ、位置決め孔４１１が提供される位置における絶縁基板４１の強度は、強化タブ４３によって増大する。複数の位置決めポスト２３が位置決め孔４１１（貫通孔４３１）をそれぞれ通過した後に、複数の位置決めポスト２３の各々の端部は、固定効果を高めるために、加熱溶融を使用して、拡大ヘッドとして形成することができる。同様に図４を参照すると、本実施形態において、電気コネクタ１０は、プラグ（図示せず）と外部接続するために使用される回路基板４上に提供され、回路基板４は、絶縁基板４１に提供された強化バックプレート４４を更に備え、強化バックプレート４４及び電気コネクタ１０は、絶縁基板４１の両側に、それぞれ位置決めされる。
【００４３】
図１及び図３を再度参照すると、カバー７は、複数の母線３、回路基板４、複数の導電接続タブ５、複数の補助接続タブ５’、及び延長接続タブ６を覆うために、絶縁フレーム２を覆う。カバー７の外周は、複数のラッチ孔７１と共に形成され、絶縁フレーム２の外周は、複数のラッチ孔７１のそれぞれに対応する複数のラッチ突起２４と共に形成され、カバー７及び絶縁フレーム２は、互いに対して位置決めされ、それによって、複数のラッチ突起２４は、複数のラッチ孔７１とそれぞれラッチされる。
【００４４】
結論として、ヒューズユニット４２２全体の単純な回路によって、ヒューズユニット４２２によって占有される領域を低減させることができ、ヒューズユニット４２２は、回路基板４を交換するコストを節約するために、主ヒューズ４２３が溶断したときに修理することができ、修理時の作業手順は、より単純で好都合である。更に、複数の予備ヒューズは、回路基板４の耐用年数を延ばすために、要件に従って増加させることができ、修理回数を低減させることができる。母線３と回路基板４との間の接続強度は、電気的接続部の安定性を維持するために、補助接続タブ５’によって増大させることができる。
【００４５】
上記の内容は、本開示の実施形態に過ぎず、本開示を実施する範囲は、それらに限定することができない。特許請求の範囲に記載の範囲及び本開示の明細書の内容に従ってなされるあらゆる単純な同等の変更及び修正は、本開示の範囲内に含まれる。
【図１】
2018113438.tif 000003
【図２】
2018113438.tif 000004
【図３】
2018113438.tif 000005
【図４】
2018113438.tif 000006
【図５】
2018113438.tif 000007
【図６】
2018113438.tif 000008
【図７】
2018113438.tif 000009
【図８】
2018113438.tif 000010
【図９】
2018113438.tif 000011
【図１０】
2018113438.tif 000012
【図１１】
2018113438.tif 000013